(57)【要約】      （修正有）【課題】小型化と部品点数削減及び発電の高効率化を行う燃料電池コージェネレーションシステムを提供する。【解決手段】燃料電池１０Ａを備える燃料電池ユニット１０と、燃料電池ユニット１０から排出される排熱を回収する熱媒体を蓄える蓄熱器１１と、運転中、放熱が必要な部品１３と、蓄熱器１１及び放熱が必要な部品１３を収容する筐体１６と、放熱が必要な部品１３の上方の筐体１６内に設けられた換気器１５と、放熱が必要な部品１３の下方の筐体１６内に設けられた放熱器１２と、を備える。筐体１６内において、放熱が必要な部品１３と蓄熱器１１とが区分して配置され、放熱が必要な部品１３は、換気器１５及び放熱器１２を動作させている場合に、放熱器１２の吸気孔１２Ａを通過して筐体１６内に生じる空気の流れ上に配置されている。【選択図】図１
2016110723.tif 000002
【特許請求の範囲】
【請求項１】
燃料電池を備える燃料電池ユニットと、
前記燃料電池ユニットから排出される排熱を回収する熱媒体を蓄える蓄熱器と、
運転中、放熱が必要な部品と、
前記蓄熱器及び前記放熱が必要な部品を収容する筐体と、
前記放熱が必要な部品の上方の前記筐体内に設けられた換気器と、
前記放熱が必要な部品の下方の前記筐体内に設けられた放熱器と、
を備え、
前記筐体内において、前記放熱が必要な部品と前記蓄熱器とが区分して配置され、前記放熱が必要な部品は、前記換気器及び前記放熱器を動作させている場合に、前記放熱器の吸気孔を通過して前記筐体内に生じる空気の流れ上に配置されている燃料電池コージェネレーションシステム。
【請求項２】
前記放熱器を動作させていない場合、前記放熱器の吸気孔は、前記筐体内に空気を導くための換気孔として機能する請求項１に記載の燃料電池コージェネレーションシステム。
【請求項３】
前記放熱器の吸気孔と前記換気器の排気孔と、が前記筐体を形成する同一の面に設けられている請求項１又は２に記載の燃料電池コージェネレーションシステム。
【請求項４】
前記筐体内を、前記放熱が必要な部品を備える第１室と前記蓄熱器を備える第２室とに仕切る隔壁を備える請求項１−３のいずれかに記載の燃料電池コージェネレーションシステム。
【請求項５】
前記熱媒体として、水が用いられ、前記蓄熱器として、温水を貯える貯湯タンクが用いられる請求項１−４のいずれかに記載の燃料電池コージェネレーションシステム。
【発明の詳細な説明】
【技術分野】
【０００１】
本発明は燃料電池コージェネレーションシステムに関する。
【背景技術】
【０００２】
燃料電池コージェネレーションシステムは、例えば、燃料電池を備える燃料電池ユニット、及び燃料電池ユニットから排出される排熱を回収する熱媒体を蓄える蓄熱器（例えば、温水を貯める貯湯タンク）に加え、熱交換器、各種ポンプ、ブロワ、弁等の補器、インバータ回路、制御回路、配管、換気器等の様々な機器から構成される。よって、燃料電池コージェネレーションシステムが大型化し、場所によっては、燃料電池コージェネレーションシステムの設置、メンテナンスが困難な場合がある。
【０００３】
そこで、貯湯槽収納容器の上に、発電ユニットを配置した構成を備える燃料電池コージェネレーションシステムが提案されている（例えば、特許文献１参照）。これにより、燃料電池コージェネレーションシステムの設置性及びメンテナンス性が改善する。
【０００４】
また、筐体内に発電ユニットと貯湯ユニットを一体化した構成を備える燃料電池コージェネレーションシステムも提案されている（例えば、特許文献２参照）。これにより、燃料電池コージェネレーションシステムをコンパクトに構成できる。
【先行技術文献】
【特許文献】
【０００５】
【特許文献１】特許４９４２３８６号公報（図５）
【特許文献２】特開２０１３−２５４６０８号公報
【発明の概要】
【発明が解決しようとする課題】
【０００６】
しかし、従来例は、蓄熱器を備えた燃料電池コージェネレーションシステムの小型化と部品点数削減、及び発電の高効率化について未だ改善の余地がある。また、システムのメンテナンス性の向上についても、改善の余地がある。詳細は、以下の実施形態において説明する。
【０００７】
本発明の一態様（aspect）は、このような事情に鑑みてなされたものであり、蓄熱器を備えた燃料電池コージェネレーションシステムにおいて、従来に比べ、小型化と部品点数削減、及び発電の高効率化を行い得る燃料電池コージェネレーションシステムを提供する。また、本発明の一態様は、従来に比べ、システムのメンテナンス性を向上し得る燃料電池コージェネレーションシステムを提供する。
【課題を解決するための手段】
【０００８】
上記課題を解決するため、本発明の一態様の燃料電池コージェネレーションシステムは、燃料電池を備える燃料電池ユニットと、前記燃料電池ユニットから排出される排熱を回収する熱媒体を蓄える蓄熱器と、運転中、放熱が必要な部品と、前記蓄熱器及び前記放熱が必要な部品を収容する筐体と、前記放熱が必要な部品の上方の前記筐体内に設けられた換気器と、前記放熱が必要な部品の下方の前記筐体内に設けられた放熱器と、を備え、前記筐体内において、前記放熱が必要な部品と前記蓄熱器とが区分して配置され、前記放熱が必要な部品は、前記換気器及び前記放熱器を動作させている場合に、前記放熱器の吸気孔を通過して前記筐体内に生じる空気の流れ上に配置されている。
【発明の効果】
【０００９】
本発明の一態様は、上記のような特徴を備えることにより、従来に比べ、蓄熱器を備えた燃料電池コージェネレーションシステムの小型化と部品点数削減、及び発電の高効率化を行い得るという効果を奏する。また、システムのメンテナンス性を向上し得るという効果を奏する。
【図面の簡単な説明】
【００１０】
【図１】図１は、第１実施形態の燃料電池コージェネレーションシステムの一例を示す図である。
【図２】図２は、第１実施形態の変形例の燃料電池コージェネレーションシステムの一例を示す図である。
【図３】図３は、第２実施形態の燃料電池コージェネレーションシステムの一例を示す図である。
【発明を実施するための形態】
【００１１】
（第１実施形態）
本発明者らは、蓄熱器を備えた燃料電池コージェネレーションシステムの小型化と部品点数削減、及び発電の高効率化について鋭意検討し、以下の知見を得た。
【００１２】
特許文献１では、貯湯槽収納容器の上に発電ユニットがあり、蓄熱が必要な貯湯タンクの上方に、放熱が必要なインバータ回路が配置されている。よって、貯湯タンクの断熱材の厚みを増やす等の収納容器の放熱対策を講じるか、インバータ回路の冷却に高出力の冷却ファンを用いることが必要である。貯湯タンクの断熱材の厚みを増やすと、燃料電池コージェネレーションシステムのサイズがアップする。インバータ回路の冷却に高出力の冷却ファンを用いると、燃料電池コージェネレーションシステムの発電効率が悪化する。なお、特許文献１の場合、貯湯槽収納容器の上に発電ユニットを施工現場で設置する場合、少数の作業者では負担がかかりすぎるという問題もある。
【００１３】
特許文献２では、筐体内で、熱媒体を蓄える蓄熱器と放熱が必要な部品と、が区分けされない状態で筐体内に配置されており、蓄熱器の蓄熱及び上記部品の放熱の両立に難点がある。
【００１４】
そこで、本実施形態の第１の態様の燃料電池コージェネレーションシステムは、燃料電池を備える燃料電池ユニットと、燃料電池ユニットから排出される排熱を回収する熱媒体を蓄える蓄熱器と、運転中、放熱が必要な部品と、蓄熱器及び上記放熱が必要な部品を収容する筐体と、上記放熱が必要な部品の上方の前記筐体内に設けられた換気器と、上記放熱が必要な部品の下方の前記筐体内に設けられた放熱器と、を備え、筐体内において、上記放熱が必要な部品と蓄熱器とが区分して配置され、上記放熱が必要な部品は、換気器及び放熱器を動作させている場合に、放熱器の吸気孔を通過して筐体内に生じる空気の流れ上に配置されている。
【００１５】
かかる構成によると、放熱が必要な部品と熱媒体を蓄える蓄熱器とが筐体内で区分けして配置され、かつ、放熱が必要な部品が、換気器及び放熱器を動作させている場合に放熱器の吸気孔を通過して筐体内に生じる空気の流れ上に配置されている。これにより、燃料電池コージェネレーションシステムの運転中、蓄熱器の熱ロスを抑制しながら、放熱が必要な部品を高効率に放熱できる。
【００１６】
また、本実施形態の第２の態様の燃料電池コージェネレーションシステムは、第１の態様の燃料電池コージェネレーションシステムにおいて、放熱器を動作させていない場合、放熱器の吸気孔は、筐体内に空気を導くための換気孔として機能する。
【００１７】
かかる構成により、放熱器を動作させていない場合でも筐体内を換気できるとともに、吸気孔と換気孔とを共通化できるので、燃料電池コージェネレーションシステムの部品点数を削減できる。
【００１８】
また、本実施形態の第３の態様の燃料電池コージェネレーションシステムは、第１又は第２の態様の燃料電池コージェネレーションシステムにおいて、放熱器の吸気孔と換気器の排気孔と、が筐体を形成する同一の面に設けられている。
【００１９】
かかる構成により、放熱器の吸気孔と換気器の排気孔とを同一の面に設けているので、燃料電池コージェネレーションシステムのメンテナンス性が向上する。つまり、この面を外すだけで、他の面を外すことなく、筐体内の全ての部品のメンテナンスを行い得る。また、同一の面に吸気孔と排気孔を配置することで、法定で定められた離隔距離を取る必要がある面が一つになるので、燃料電池コージェネレーションシステムの設置面積を小さくできる。
【００２０】
［装置構成］
図１は、第１実施形態の燃料電池コージェネレーションシステムの一例を示す図である。
【００２１】
図１に示す例では、本実施形態の燃料電池コージェネレーションシステム１００は、燃料電池ユニット１０と、蓄熱器１１と、部品１３と、筐体１６と、換気器１５と、放熱器１２と、熱交換器２０と、を備える。
【００２２】
燃料電池ユニット１０は、燃料電池１０Ａを備える。なお、燃料電池１０Ａは、いずれの種類であっても構わない。燃料電池１０Ａとして、例えば、高分子電解質形燃料電池、固体酸化物形燃料電池、及び燐酸形燃料電池等を例示できる。つまり、燃料電池ユニット１０として、例えば、高分子電解質形燃料電池のセルスタック、固体酸化物形燃料電池のホットモジュール等を例示できる。
【００２３】
燃料電池ユニット１０は、燃料電池コージェネレーションシステム１００の運転中、所定の温度に保つ必要がある。例えば、燃料電池１０Ａが固体酸化物燃料電池の場合、改質反応及び燃料電池１０Ａの運転温度が、高温（例えば、６００℃−８００℃）となる。よって、燃料電池ユニット１０の周囲を断熱材で覆い、外部への放熱を抑える構成を取る必要がある。
【００２４】
燃料電池ユニット１０は、原料を用いて改質反応により水素含有ガスを生成する改質器を備えてもよい。改質器を備えない場合、水素含有ガスを貯蔵する容器、水素インフラ等の水素含有ガスの供給源から水素含有ガスが燃料電池ユニット１０に供給される形態であってもよい。また、燃料電池１０Ａ内で改質反応により水素含有ガスが生成される形態であってもよい。本形態として、例えば、内部改質形の固体酸化物燃料電池を例示できる。
【００２５】
また、燃料電池ユニット１０は、燃料電池１０Ａの他、燃料電池ユニット１０の内部の高温を利用して発電用の空気を加熱する空気加熱器を備えてもよい。
【００２６】
燃料電池ユニット１０における改質反応は、いずれの形態であってもよい。例えば、改質反応として、水蒸気改質反応、オートサーマル反応又は部分酸化反応等が例示される。図１には示されていないが、各改質反応において必要となる機器は適宜設けられる。例えば、改質反応が水蒸気改質反応であれば、水蒸気を生成する蒸発器、及び蒸発器に水を供給する水供給器等が設けられる。改質反応が部分酸化、又はオートサーマル反応であれば、更に、空気を供給する空気供給器が設けられる。
【００２７】
なお、原料として、例えば、メタンを主成分とする都市ガスや天然ガス等を用いることができる。なお、燃料電池コージェネレーションシステム１００は、原料として都市ガスや天然ガス等を用いる場合、一般的に、これらのガス中の硫黄化合物を除去する脱硫器（図示せず）を備える。
【００２８】
このようにして、燃料電池ユニット１０の燃料電池１０Ａでは、水素含有ガス（燃料ガス）中の水素と酸化剤ガス中の酸素とが反応することで発電が行われる。燃料電池ユニット１０により発電された直流出力は、インバータ回路１３Ａで交流に変換され、家庭用電力に利用できる。
【００２９】
蓄熱器１１は、燃料電池ユニット１０から排出される排熱を回収する熱媒体を蓄える。
【００３０】
蓄熱器１１は、蓄熱状態を保つ必要がある。よって、蓄熱器１１の周囲を断熱材で覆い、外部への放熱（熱ロス）を抑える構成を取る必要がある。
【００３１】
蓄熱器１１は、燃料電池ユニット１０から排出される排熱を回収する熱媒体を蓄えることができれば、どのような構成であっても構わない。例えば、上記の排熱を回収するための熱交換器２０において、燃料電池ユニット１０の燃焼器（図示せず）からの燃焼排ガスを加熱流体に用い、蓄熱器１１からの熱媒体を受熱流体に用いて、両者間で熱交換が行われても構わない。そして、熱交換器２０を通過した熱媒体が蓄熱器１１に蓄えられても構わない。なお、熱媒体として、例えば、水、不凍液等を例示できる。熱媒体として水を用いる場合の具体例については、第２実施形態で説明する。
【００３２】
燃料電池コージェネレーションシステム１００の運転中、部品１３は、その温度を使用温度範囲の上限値以下に維持するため、放熱が必要となる。部品１３は、燃料電池コージェネレーションシステム１００の運転中、放熱を必要とするものであれば、どのようなものであっても構わない。部品１３として、例えば、燃料電池１０Ａの発電電力を商用電力に系統連系可能に電力変換するインバータ回路１３Ａ、燃料電池コージェネレーションシステム１００の動作を制御する制御器１３Ｂ、熱媒体の送出等に用いるポンプ等の精密機械部品１３Ｃ等を例示できる。
【００３３】
筐体１６は、少なくとも熱媒体を蓄える蓄熱器１１及び放熱が必要な部品１３を収容する。具体的には、本実施形態では、筐体１６内に、蓄熱器１１及び部品１３の他、燃料電池ユニット１０及び熱交換器２０を収容する、蓄熱器１１及び燃料電池ユニット１０を一体とする構成を取っている。具体的には、筐体１６が２つの領域２００及び領域３００に区分されて、領域２００には、蓄熱器１１、燃料電池ユニット１０及び熱交換器２０が配されている。また、領域３００には、放熱が必要な部品１３が配されている。
【００３４】
筐体１６は、燃料電池コージェネレーションシステム１００を外部環境と隔離する部材である。よって、筐体１６は、剛性及び耐食性を備える材料で構成する方がよい。なお、筐体１６の内面に、断熱材を設けて外部への放熱を抑える構成を取ることが多い。
【００３５】
換気器１５は、放熱が必要な部品１３の上方の筐体１６内に設けられる。具体的には、図１に示すように、換気器１５は、排気孔１５Ａとファン１５Ｂとを備える。排気孔１５Ａは、部品１３よりも上方の筐体１６の面１６Ａの部分に形成されている。そして、ファン１５Ｂが、排気孔１５Ａと対置するように筐体１６内に設けられている。
【００３６】
放熱器１２は、放熱が必要な部品１３の下方の筐体１６内に設けられる。具体的には、図１に示すように、放熱器１２は、吸気孔１２Ａとファン１２Ｂとフード１２Ｃとを備える。吸気孔１２Ａは、部品１３よりも下方の筐体１６の面１６Ａの部分に形成されている。そして、ファン１２Ｂは、吸気孔１２Ａと対置するように筐体１６内に設けられている。フード１２Ｃは、ファン１２Ｂに接続された湾曲部材であり、吸気孔１２Ａを通過して筐体１６内に流入する空気の流れを部品１３の方向に向ける機能を備える。
【００３７】
以上により、本実施形態の燃料電池コージェネレーションシステム１００は、放熱が必要な部品１３と熱媒体を蓄える蓄熱器１１とが筐体１６内で区分けして配置され、かつ、放熱が必要な部品１３が、換気器１５及び放熱器１２を動作させている場合に放熱器１２の吸気孔１２Ａを通過して筐体１６内に生じる空気の流れ上に配置されている。これにより、燃料電池コージェネレーションシステム１００の運転中、蓄熱器１１の熱ロスを抑制しながら、部品１３を高効率に放熱できる。
【００３８】
例えば、換気器１５のファン１５Ｂ及び放熱器１２のファン１２Ｂの動作によって吸気孔１２Ａから筐体１６内に外気（空気）を取り込み、排気孔１５Ａから筐体１６外に空気を排出する。すると、図１の矢印に示す如く、筐体１６内に空気の流れが生じ、この空気を用いて、放熱が必要な部品１３の一例であるインバータ回路１３Ａ、制御器１３Ｂ及び精密機械部品１３Ｃのそれぞれを冷却できる。よって、燃料電池コージェネレーションシステム１００の運転中、これらのインバータ回路１３Ａ、制御器１３Ｂ及び精密機械部品１３Ｃのそれぞれの温度を、これらの使用温度範囲の上限値以下に適切に維持できる。なお、上記の空気を用いて、筐体１６内で可燃ガスの漏れが発生した場合、可燃ガス濃度を燃焼範囲の下限以下にまで十分に希釈してから可燃ガスを外部に排出することができる。
【００３９】
また、部品１３の放熱により加熱された熱気は、筐体１６の上方に滞留しやすい。そこで、本実施形態の燃料電池コージェネレーションシステム１００では、換気器１５を部品１３の上方の筐体１６内に設け、放熱器１２を部品１３の下方の筐体内に設けている。よって、吸気孔１２Ａからの空気を用いて、筐体１６の上方に溜まった熱気を容易に筐体１６外に排出できる。
【００４０】
また、本実施形態の燃料電池コージェネレーションシステム１００は、放熱器１２を動作させていない場合、放熱器１２の吸気孔１２Ａは、筐体１６に空気を導くための換気孔として機能する。
【００４１】
これにより、放熱器１２を動作させていない場合でも筐体１６内を換気できるとともに、吸気孔１２Ａと換気孔とを共通化できるので、燃料電池コージェネレーションシステム１００の部品点数を削減できる。なお、この場合、放熱が必要な部品１３は、換気孔から筐体１６内に流入する空気により冷却することも可能である。
【００４２】
また、本実施形態の燃料電池コージェネレーションシステム１００は、放熱器１２の吸気孔１２Ａと換気器１５の排気孔１５Ａと、が筐体１６を形成する同一の面１６Ａに設けられている。具体的には、箱型の筐体１６の鉛直方向の一つの外殻体が、面１６Ａにより構成されている。
【００４３】
これにより、放熱器１２の吸気孔１２Ａと換気器１５の排気孔１５Ａとを同一の面１６Ａに設けているので、燃料電池コージェネレーションシステム１００のメンテナンス性が向上する。つまり、この面１６Ａを外すだけで、他の面を外すことなく、筐体１６内の全ての部品のメンテナンスを行い得る。また、同一の面１６Ａに吸気孔１２Ａと排気孔１５Ａを配置することで、法定で定められた離隔距離を取る必要がある面１６Ａが一つになるので、燃料電池コージェネレーションシステム１００の設置面積を小さくできる。
【００４４】
なお、図示を省略するが、放熱も蓄熱も必要としない部品（例えば、空気フィルター、イオン交換樹脂等）については、筐体１６の適所に配置しても構わない。例えば、筐体１６の領域３００における放熱器１２の下方にこれらの部品を配置してもよい。これにより、筐体１６のスペースを有効に利用できる。
【００４５】
（変形例）
第１実施形態の変形例の燃料電池コージェネレーションシステムは、第１実施形態の燃料電池コージェネレーションシステムにおいて、筐体内を、放熱が必要な部品を備える第１室と熱媒体を蓄える蓄熱器を備える第２室とに仕切る隔壁を備える。
【００４６】
かかる構成により、このような隔壁を備えない場合に比べ、換気器及び放熱器を動作させている場合に放熱器の吸気孔を通過して筐体の第１室内に生じる空気が、筐体の第２室に流入することを抑制できる。よって、筐体の第１室内に生じる空気を上記放熱が必要な部品に適切に導くことができ、その結果、燃料電池コージェネレーションシステムの運転中、蓄熱器の熱ロスを更に抑制しながら、放熱が必要な部品を更に高効率に放熱できる。
【００４７】
また、第１室と第２室とを隔壁により分離して配置し、放熱が必要な部品が配された第１室側に蓄熱器の熱を対流させないように構成している。よって、換気器を小型（小電力）化できるので、燃料電池コージェネレーションシステムの運転時の消費電力が減り、発電効率が向上する。
【００４８】
本変形例の燃料電池コージェネレーションシステムは、上記特徴以外は、第１実施形態の燃料電池コージェネレーションシステムと同様に構成してもよい。
【００４９】
［装置構成］
図２は、第１実施形態の変形例の燃料電池コージェネレーションシステムの一例を示す図である。
【００５０】
図２に示す例では、本実施形態の燃料電池コージェネレーションシステム１００は、燃料電池ユニット１０と、蓄熱器１１と、部品１３と、筐体１６と、換気器１５と、放熱器１２と、熱交換器２０と、隔壁３０と、第１室３０Ａと、第２室３０Ｂと、を備える。燃料電池ユニット１０、蓄熱器１１、部品１３、筐体１６、換気器１５、放熱器１２及び熱交換器２０については第１実施形態と同様であるので説明を省略する。
【００５１】
隔壁３０は、筐体１６内を、放熱が必要な部品１３を備える第１室３０Ａと熱媒体を蓄える蓄熱器１１を備える第２室３０Ｂとに仕切る。隔壁３０は、筐体１６内を、第１室３０Ａと第２室３０Ｂとに仕切るものであれば、どのような構成であっても構わない。例えば、隔壁３０により、図２に示すように、筐体１６内を第１室３０Ａと第２室３０Ｂとに完全に仕切ってもいいし、部分的に仕切ってもいい。筐体１６内を第１室３０Ａと第２室３０Ｂとに部分的に仕切ると、隔壁３０の適所において第１室３０Ａ及び第２室３０Ｂの間の通気が可能となる。
【００５２】
以上により、このような隔壁３０を備えない場合に比べ、換気器１５及び放熱器１２を動作させている場合に放熱器１２の吸気孔１２Ａを通過して筐体１６の第１室３０Ａ内に生じる空気が、筐体１６の第２室３０Ｂに流入することを抑制できる。よって、第１室３０Ａ内に生じる空気を上記放熱が必要な部品１３に適切に導くことができ、その結果、燃料電池コージェネレーションシステム１００の運転中、蓄熱器１１の熱ロスを更に抑制しながら、部品１３を更に高効率に放熱できる。
【００５３】
また、第１室３０Ａと第２室３０Ｂとを隔壁３０により分離して配置し、放熱が必要な部品１３が配された第１室３０Ａ側に蓄熱器１１の熱を対流させないように構成している。よって、換気器１５を小型（小電力）化できるので、燃料電池コージェネレーションシステム１００の運転時の消費電力が減り、発電効率が向上する。
【００５４】
（第２実施形態）
第２実施形態の燃料電池コージェネレーションシステムは、第１実施形態又は第１実施形態の変形例の燃料電池コージェネレーションシステムにおいて、熱媒体として水が用いられ、蓄熱器として、温水を貯える貯湯タンクが用いられる。
【００５５】
かかる構成によると、燃料電池コージェネレーションシステムは、運転中、貯湯タンクの熱ロスを抑制しながら、放熱が必要な部品を高効率に放熱できる。
【００５６】
本実施形態の燃料電池コージェネレーションシステムは、上記特徴以外は、第１実施形態又は第１実施形態の変形例の燃料電池コージェネレーションシステムと同様に構成してもよい。
【００５７】
［装置構成］
図３は、第２実施形態の燃料電池コージェネレーションシステムの一例を示す図である。
【００５８】
図３に示す例では、本実施形態の燃料電池コージェネレーションシステム１００は、燃料電池ユニット１０と、蓄熱器１１１と、部品１３と、筐体１６と、換気器１５と、放熱器１２と、熱交換器２０と、バックアップボイラー４０と、を備える。燃料電池ユニット１０、部品１３、筐体１６、換気器１５、放熱器１２及び熱交換器２０については第１実施形態と同様であるので説明を省略する。
【００５９】
本実施形態の燃料電池コージェネレーションシステム１００では、熱媒体として水が用いられ、蓄熱器１１１として、温水を貯える貯湯タンク１１１が用いられる。具体的には、燃料電池ユニット１０により発電された直流出力は、インバータ回路１３Ａで交流に変換され、家庭用電力に使用できる。また、給水接続口から貯湯タンク１１１へ流入した市水は、熱交換器２０に送られて、燃料電池ユニット１０が発電するときに発生する排熱を回収する。熱回収が行われた温水は、再び貯湯タンク１１１へ戻される。貯湯タンク１１１の温水は、バックアップボイラー４０で適温に調温された後、給湯に利用される。なお、貯湯タンク１１１の温水が満水の場合でも、換気器１５及び放熱器１２を動作させた状態で、燃料電池ユニット１０の発電を継続できる。
【００６０】
以上により、本実施形態の燃料電池コージェネレーションシステム１００は、運転中、貯湯タンク１１１の熱ロスを抑制しながら、部品１３を高効率に放熱できる。
【００６１】
なお、図３では、図１の燃料電池コージェネレーションシステム１００において、熱媒体として水を用い、蓄熱器１１１として、温水を貯える貯湯タンク１１１を用いる例を示しているが、これに限らない。図２の燃料電池コージェネレーションシステム１００において、熱媒体として水を用い、蓄熱器１１１として、温水を貯える貯湯タンク１１１を用いても構わない。
【００６２】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６３】
本発明の一態様の燃料電池コージェネレーションシステムは、同一筐体内に燃料電池ユニットと蓄熱器を備え、従来に比べ、小型化と部品点数削減、及び発電の高効率化を行えるものとして有用である。
【符号の説明】
【００６４】
１０  燃料電池ユニット
１１  蓄熱器
１２  放熱器
１３  部品
１５  換気器
１６  筐体
２０  熱交換器
３０  隔壁
４０  バックアップボイラー
１００  燃料電池コージェネレーションシステム
【図１】
2016110723.tif 000003
【図２】
2016110723.tif 000004
【図３】
2016110723.tif 000005